(57)【要約】【課題】  迅速かつ正確に計数可能な錠剤計数器を提供する。【解決手段】  本考案に係る錠剤計数器は、本体１０とスライド板２０からなり、該本体１０は上盤皿１１と下盤皿１２を具え、該上盤皿１１の盤面上には若干の錠剤孔１３を設置し、該下盤皿１２の片側にはスライド板２０を挿入可能な開口１４を具え、該開口１４の反対端角には錠剤出口１５を設置し、該スライド板２０は該本体１０片側に設置する開口１４より該下盤皿１２内に挿入し、該スライド板２０は該上盤皿１１の錠剤孔１３下方をガードすることにより、使用時には錠剤３０を該上盤皿１１上に出し、該錠剤３０を該錠剤孔１３内に入れ、必要数に応じて該スライド板２０を抜き移動させ、該錠剤孔１３内の錠剤３０を該下盤皿１２内へと落とし、続いて該下盤皿１２内に落ちた錠剤３０は該錠剤出口１５より薬袋４０に入り、錠剤３０の計数を完成する。【選択図】  図８
0003123201.tif 000002
【実用新案登録請求の範囲】
【請求項１】
本体とスライド板からなり、
該本体は上盤皿と下盤皿を具え、該上盤皿の盤面上には複数の錠剤孔を設置し、該下盤皿の片側にはスライド板を挿入可能な開口を具え、該開口の反対端角には錠剤出口を設置し、
該スライド板は該本体片側に設置する開口より該下盤皿内に挿入し、これにより該スライド板は該上盤皿の錠剤孔下方をガードし、
使用時には錠剤を該上盤皿上に出し、該錠剤を該錠剤孔内に入れ、必要数に応じて該スライド板を抜き移動させ、錠剤孔内の錠剤を該下盤皿内へと落とし、該下盤皿内に落ちた錠剤は該錠剤出口より薬袋に入り、錠剤の計数を完成することを特徴とする錠剤計数器。
【請求項２】
前記錠剤孔の形状はカプセル状の長方形孔、円錠状の円形孔、或いは他形状の孔とすることを特徴とする請求項１記載の錠剤計数器。
【請求項３】
前記錠剤孔の大きさは錠剤が通過可能な大きさとすることを特徴とする請求項１記載の錠剤計数器。
【請求項４】
前記上盤皿の一端にはプラットフォームを形成することを特徴とする請求項１記載の錠剤計数器。
【請求項５】
前記上盤皿の一端には錠剤返却口を設置することを特徴とする請求項１記載の錠剤計数器。
【請求項６】
前記錠剤孔は該上盤皿において縦横整然と配列する盤面とすることを特徴とする請求項１記載の錠剤計数器。
【請求項７】
前記錠剤孔は７個の錠剤孔が一列に配列する形状とすることを特徴とする請求項１記載の錠剤計数器。
【請求項８】
前記本体の上層盤面上には列を成す錠剤孔と対応する目盛りを設置することを特徴とする請求項１記載の錠剤計数器。
【考案の詳細な説明】
【技術分野】
【０００１】
本考案は一種の錠剤計数器に関する。特に一種の迅速、便利でしかも錠剤（カプセル型錠剤、錠片型錠剤など）を正確に計数可能な錠剤計数器構造に係る。
【背景技術】
【０００２】
現在病院或いはクリニックでは錠剤を患者に渡す時には、錠剤を保管する薬瓶（缶）内の錠剤を盤皿上に出した後、盤皿片側に寄せ、さらにスパーテルを利用し、盤皿の反対側において必要な数を回数分を取り分け、それを薬袋に入れ、錠剤の計数を完了している。
しかし、上述の計数作業は、完全に人手によるため緩慢で時間がかかる他、計数過程で外界の干渉を受け中断の頻度が高く、計数人員の困難を招いている。また計数の誤りも起き易いが、長期間薬を服用しなければならないため薬の数量が多い慢性疾患の患者に対しては、計数作業時により誤りが発生し易い。
【特許文献１】実用新案登録第３０２２３４８号
【考案の開示】
【考案が解決しようとする課題】
【０００３】
公知構造には以下の欠点があった。
すなわち、公知の計数作業は、完全に人手によるため緩慢で時間がかかり、また計数過程で外界の干渉を受け中断の頻度が高く、計数人員の困難を招いている他、誤りも起き易く、特に薬の数量が多い慢性疾患の患者に対してはより誤りが発生し易い。
本考案は上記構造の問題点を解決した錠剤計数器を提供するものである。
【課題を解決するための手段】
【０００４】
上記課題を解決するために、本考案は、下記の特徴を有する錠剤計数器を提供する。
１．請求項１に記載の錠剤計数器は、本体とスライド板からなり、該本体は上盤皿と下盤皿を具え、該上盤皿の盤面上には複数の錠剤孔を設置し、該下盤皿の片側にはスライド板を挿入可能な開口を具え、該開口の反対端角には錠剤出口を設置し、該スライド板は該本体片側に設置する開口より該下盤皿内に挿入し、これにより該スライド板は該上盤皿の錠剤孔下方をガードし、使用時には錠剤を該上盤皿上に出し、該錠剤を該錠剤孔内に入れ、必要数に応じて該スライド板を抜き移動させ、錠剤孔内の錠剤を該下盤皿内へと落とし、該下盤皿内に落ちた錠剤は該錠剤出口より薬袋に入り、錠剤の計数を完成することを特徴とする。
２．請求項２に記載の錠剤計数器は、請求項１の場合において、前記錠剤孔の形状はカプセル状の長方形孔、円錠状の円形孔、或いは他形状の孔とすることを特徴とする。
３．請求項３に記載の錠剤計数器は、請求項１の場合において、前記錠剤孔の大きさは錠剤が通過可能な大きさとすることを特徴とする。
４．請求項４に記載の錠剤計数器は、請求項１の場合において、前記上盤皿の一端にはプラットフォームを形成することを特徴とする。
５．請求項５に記載の錠剤計数器は、請求項１の場合において、前記上盤皿の一端には錠剤返却口を設置することを特徴とする。
６．請求項６に記載の錠剤計数器は、請求項１の場合において、前記錠剤孔は該上盤皿において縦横整然と配列する盤面とすることを特徴とする。
７．請求項７に記載の錠剤計数器は、請求項１の場合において、前記錠剤孔は７個の錠剤孔が一列に配列する形状とすることを特徴とする。
８．請求項８に記載の錠剤計数器は、請求項１の場合において、前記本体の上層盤面上には列を成す錠剤孔と対応する目盛りを設置することを特徴とする。
【考案の効果】
【０００５】
上記のように、本考案は迅速かつ便利でしかも正確に錠剤を計数可能で、公知の計数方式に比べ、進歩性を具える。
【考案を実施するための最良の形態】
【０００６】
図１に示すように、本実施例中の錠剤計数器は本体１０とスライド板２０を含む。
該本体１０（同時に図２、３、４参照）は上盤皿１１と下盤皿１２を具え、該上盤皿１１の盤面上には若干の錠剤孔１３を設置する。該下盤皿１２の片側には該スライド板２０を挿入可能な開口１４を具え、該開口１４と反対端の角には錠剤出口１５を設置する。
該スライド板２０（同時に図２、３、４参照）は該本体１０片側に設置する開口１４より該下盤皿１２内に挿入し、これにより該スライド板２０は該上盤皿１１の錠剤孔１３下方においてガードの役目を果たす。
該錠剤孔１３の形状はカプセル状の長方形孔（図１、２、３、４参照）、または円錠状の円形孔（図９参照）、或いは他形状の孔とし、該錠剤孔１３の大きさは該錠剤３０がちょうど通過可能な大きさを原則とする。
【０００７】
図１、２、３、４に示すように、本考案最適実施例では、該上盤皿１１の一端にはプラットフォーム１６を形成し、しかも該プラットフォーム１６の角には錠剤返却口１７を設置する。
さらに図１、２、３、４に示すように、本考案最適実施例では、該錠剤孔１３は該上盤皿１１に縦横整然と配列する盤面が望ましく、７個の錠剤孔１３が１列を成すものが望ましい。
また図１、２、３に示すように、本考案最適実施例では、該本体１０の上層盤面１１上には列を成す該錠剤孔１３と対応する目盛り１８７を設置する。
【０００８】
上述の構造により、図５、６に示すように、本考案は使用時に、該錠剤３０を該上盤皿１１の盤面上に出し、該本体１０を軽く揺すり該錠剤３０を該錠剤孔１３内に落とし、或いはスパーテルにより該錠剤３０を該錠剤孔１３内に入れる。次に、余りの錠剤３０を該上盤皿１１一端のプラットフォーム１６に入れ、該プラットフォーム１６角の錠剤返却口１７より該上盤皿１１に戻す。続いて、図７に示すように、必要数に応じてスライド板２０を抜き移動させ、該錠剤孔１３内の錠剤３０を該下盤皿１２内に落とし、さらに図８に示すように、該下盤皿１２内に落とした錠剤３０を該錠剤出口１５より該下盤皿１２に落とし薬袋４０に入れ、錠剤の計数を完成する。
【図面の簡単な説明】
【０００９】
【図１】本考案の分解立体図である。
【図２】本考案の組合せ立体図である。
【図３】本考案の俯瞰図である。
【図４】本考案の断面図（図３のＡ−Ａ’断面図）である。
【図５】本考案使用時に錠剤を上盤皿上に出し、該錠剤を該錠剤孔内に入れ、余りの錠剤を錠剤返却口から上盤皿に戻す状況を示す立体指示図である。
【図６】本考案の錠剤を錠剤孔内に落とす状況を示す断面指示図である。
【図７】本考案の必要数に応じてスライド板を抜き移動させ、錠剤孔内の錠剤を下盤皿内へと落とす状況を示す断面指示図である。
【図８】本考案の下盤皿内に落とした錠剤を錠剤出口から出し薬袋に入れる状況を示す立体指示図である。
【図９】本考案の錠剤孔の形状が円錠状の円形孔である様子を示す指示図である。
【符号の説明】
【００１０】
１０    本体
１１    上盤皿
１２    下盤皿
１３    錠剤孔
１４    開口
１５    錠剤出口
１６    プラットフォーム
１７    錠剤返却口
１８    目盛り
２０    スライド板
３０    錠剤
４０    薬袋
【図１】
0003123201.tif 000003
【図２】
0003123201.tif 000004
【図３】
0003123201.tif 000005
【図４】
0003123201.tif 000006
【図５】
0003123201.tif 000007
【図６】
0003123201.tif 000008
【図７】
0003123201.tif 000009
【図８】
0003123201.tif 000010
【図９】
0003123201.tif 000011